(57)【特許請求の範囲】
【請求項１】
目地部を介して建てられた左右の建物の目地部側の床躯体に取付けられた一対のレールと、この一対のレールに両端部がスライド移動可能に支持された少なくとも２個以上の傾斜状態で配置される支持バーと、この少なくとも２個以上の支持バーに所定間隔でスライド移動可能に配置された中央部より両側部に配置されるものの高さ寸法が順次小寸法となる複数本の目地プレート支持バーと、この複数本の目地プレート支持バーを所定間隔で伸縮スライド移動させるように該複数本の目地プレート支持バーに枢支される両端部が前記左右の建物の目地部側の床躯体に枢支された少なくとも２個以上のパンタグラフ形状の伸縮リンク機構と、前記複数本の目地プレート支持バーにそれぞれ両側部から取付けられた先端部が両側部側と所定寸法重なり合い、目地部の寸法が広くなったり、狭くなっても重なり状態を保って、前記目地部を覆う複数枚の目地プレートとを備えることを特徴とする床用目地装置。
【請求項２】
目地部を介して建てられた左右の建物の目地部側の一方の床躯体に取付けられたレールと、このレールに一端部がスライド移動可能に支持され、他端部が他方の目地部側の床躯体に枢支された少なくとも２個以上の傾斜状態で配置される支持バーと、この少なくとも２個以上の支持バーに所定間隔でスライド移動可能に配置された中央部より両側部に配置されるものの高さ寸法が順次小寸法となる複数本の目地プレート支持バーと、この複数本の目地プレート支持バーを所定間隔で伸縮スライド移動させるように該複数本の目地プレート支持バーに枢支される両端部が前記左右の建物の目地部側の床躯体に枢支された少なくとも２個以上のパンタグラフ形状の伸縮リンク機構と、前記複数本の目地プレート支持バーにそれぞれ両側部から取付けられた先端部が両側部側と所定寸法重なり合い、目地部の寸法が広くなったり、狭くなっても重なり状態を保って、前記目地部を覆う複数枚の目地プレートとを備えることを特徴とする床用目地装置。
【発明の詳細な説明】
【０００１】
【発明の属する技術分野】
本発明は目地部を介して建てられた左右の建物の床部分の目地部を覆う床用目地装置に関する。
【０００２】
【従来の技術】
従来の床用目地装置は左右の建物間の床目地部を１枚の目地プレートで覆うように構成されている。
【０００３】
【発明が解決しようとする課題】
従来の床目地部を１枚の目地プレートで覆う床目地装置は、免震ビル等のように揺れ動く寸法を大きく設定した所に使用する場合、目地プレートの寸法が大きくなり、運搬や設置作業が大変になるとともに、目地プレートの強度を得るために補強部材等を用いなければならず、さらに重くなり、運搬や設置作業が大変になり、コスト高になるという欠点があった。
【０００４】
本発明は以上のような従来の欠点に鑑み、運搬や設置作業が容易で、地震等の揺れ動き時にはスムーズに伸縮できる床用目地装置を提供することを目的としている。
【０００５】
本発明の前記ならびにそのほかの目的と新規な特徴は次の説明を添付図面と照らし合わせて読むと、より完全に明かになるであろう。
ただし、図面はもっぱら解説のためのものであって、本発明の技術的範囲を限定するものではない。
【０００６】
【課題を解決するための手段】
上記目的を達成するために、本発明は目地部を介して建てられた左右の建物の目地部側の床躯体に取付けられた一対のレールと、この一対のレールに両端部がスライド移動可能に支持された少なくとも２個以上の傾斜状態で配置される支持バーと、この少なくとも２個以上の支持バーに所定間隔でスライド移動可能に配置された中央部より両側部に配置されるものの高さ寸法が順次小寸法となる複数本の目地プレート支持バーと、この複数本の目地プレート支持バーを所定間隔で伸縮スライド移動させるように該複数本の目地プレート支持バーに枢支される両端部が前記左右の建物の目地部側の床躯体に枢支された少なくとも２個以上のパンタグラフ形状の伸縮リンク機構と、前記複数本の目地プレート支持バーにそれぞれ両側部から取付けられた先端部が両側部側と所定寸法重なり合い、目地部の寸法が広くなったり、狭くなっても重なり状態を保って、前記目地部を覆う複数枚の目地プレートとで床用目地装置を構成している。
【０００７】
【発明の実施の形態】
以下、図面に示す実施の形態により、本発明を詳細に説明する。
【０００８】
図１ないし図１１に示す本発明の第１の実施の形態において、１は目地部２を介して建てられた左右の建物３、３の床目地部を覆う本発明の床用目地装置で、この床用目地装置１は前記左右の建物３、３の目地部側の床躯体３ａ、３ａにほぼ水平状態に複数本のビス４等によって取付けられた一対のレール５、５と、この一対のレール５、５に両端部がスライド移動可能に支持される少なくとも２個以上の傾斜状態、本発明の実施の形態では４５度の傾斜状態で３個配置された支持バー６、６、６と、この少なくとも２個以上の支持バー６、６、６に所定間隔でスライド移動可能に配置された中央部より両側部に配置されるものの高さ寸法が順次小寸法となる複数本、本発明の実施の形態では７本の目地プレート支持バー７、７、７Ａ、７Ａ、７Ｂ、７Ｂ、７Ｃと、この複数本の目地プレート支持バー７、７、７Ａ、７Ａ、７Ｂ、７Ｂ、７Ｃを所定間隔で伸縮スライド移動させるように、該複数本の目地プレート支持バー７、７、７Ａ、７Ａ、７Ｂ、７Ｂ、７Ｃにそれぞれ枢支ピン８で枢支される両端部が、前記左右の建物３、３の目地部側の床躯体３ａ、３ａに直接あるいは前記一対のレール５、５に枢支ピン１０、１０で枢支された少なくとも２個以上、本発明の実施の形態では３個のパンタグラフ状の伸縮リンク機構１１、１１、１１と、前記７本の目地プレート支持バー７、７、７Ａ、７Ａ、７Ｂ、７Ｂ、７Ｃにそれぞれ両側部から複数本の皿ビス１２等によって取付けられた、先端部が両側部側と所定寸法重なり合い、前記目地部２の寸法が広くなったり、狭くなっても重なり状態を保って目地部２を覆うことができる複数枚、本発明の実施の形態では７枚の目地プレート１４、１４、１４、１４、１４、１４、１４Ａと、前記目地部側の床躯体３ａ、３ａの上面に複数本の皿ビス１５等によって固定された支持プレート１６、１６と、前記少なくとも２個以上の支持バー６のほぼ中央部の底面にそれぞれ枢支ピン１７で枢支された連結バー１８と、前記少なくとも２個以上の伸縮リンク機構１１、１１、１１の取付け部位の、前記複数本の目地プレート支持バー７、７、７Ａ、７Ａ、７Ｂ、７Ｂ、７Ｃに形成された伸縮リンク挿入孔１９、１９、１９、１９、１９、１９、１９とで構成されている。
【０００９】
前記一対のレール５、５は図３に示すように、下部にビス等の挿入孔２０が所定間隔で形成されたベース板２１と、このベース板２１の一側面ほぼ中央部よりＬ字状に突出するように一体形成されたレール部２２と、前記ベース板２１の上部より一側面方向に突出するように一体形成されたストッパー片２３とで構成されている。
【００１０】
前記少なくとも２個以上の支持バー６は図４に示すように上面が平坦で、下部中央部が下方へ台形状に突出する支持バー本体２４と、この支持バー本体２４の両端部に下方へ突出するように取付けられた、前記一対のレール５、５のレール部２２、２２にスライド移動可能に支持される下端部が半円弧形状のスライドピンあるいはローラー２５、２５とで構成されている。
【００１１】
前記複数本の目地プレート支持バー７、７、７Ａ、７Ａ、７Ｂ、７Ｂ、７Ｃは図５に示すように、前記目地プレート１４の厚さ寸法分だけ順次高い寸法の角柱状の目地プレート支持バー本体２６、２６、２６Ａ、２６Ａ、２６Ｂ、２６Ｂ、２６Ｃと、この目地プレート支持バー本体２６、２６、２６Ａ、２６Ａ、２６Ｂ、２６Ｂ、２６Ｃに形成された伸縮リンク挿入孔１９、１９、１９とで構成されている。
【００１２】
前記伸縮リンク機構１１は図６に示すように８個の四角枠が形成され、中央部の枢支ピン８が前記目地プレート支持バー７、７、７Ａ、７Ａ、７Ｂ、７Ｂ、７Ｃに枢支される伸縮リンク２７と、この伸縮リンク２７の両端部の枢支ピン８、８に枢支された、前記一対のレール５、５のストッパー片２３、２３に複数本のビス２８で固定される取付け金具２９、２９とで構成されている。
【００１３】
前記目地プレート１４は長方形状の金属板で、後端部寄りの部位に所定間隔で皿ビス挿入孔３０が形成されたものが使用され、中央部に使用される目地プレート１４Ａは前記目地プレート１４の２倍の幅寸法の長方形状の金属板で、中央部に所定間隔で皿ビス挿入孔３０が形成されたものが使用されている。
【００１４】
上記構成の床用目地装置１は地震等によって目地部２が広くなるように揺れ動いた場合には、図８および図９に示すように３個の支持バー６、６、６が一対のレール５、５をスライド移動して、左右方向に直線状態となるようにスライド移動するとともに、３個の伸縮リンク機構１１、１１、１１が伸長するように移動する。
このため、３個の伸縮リンク機構１１、１１、１１に枢支ピン８で枢支された７枚の目地プレート１４、１４、１４、１４、１４、１４、１４Ａの重なり寸法が小さくなるようにスライド移動して、その揺れ動きを吸収する。
【００１５】
目地部２が狭くなるように揺れ動いた場合には、図１０および図１１に示すように３個の支持バー６、６、６が一対のレール５、５をスライド移動して、傾斜が大きくなるようにスライド移動するとともに、３個の伸縮リンク機構１１、１１、１１が収縮するように移動する。
このため、３個の伸縮リンク機構１１、１１、１１に枢支ピン８で枢支された７枚の目地プレート１４、１４、１４、１４、１４、１４、１４Ａの重なり寸法が大きくなるようにスライド移動して、その揺れ動きを吸収する。
【００１６】
なお、本発明の実施の形態では３個の支持バー６、６、６に３個のパンタグラフ状の伸縮リンク機構１１、１１、１１に枢支された７本の目地プレート支持バー７、７、７Ａ、７Ａ、７Ｂ、７Ｂ、７Ｃをスライド移動可能に支持させたものについて説明したが、本発明はこれに限らず、３個の支持バー６、６、６のほぼ中央部に位置する目地プレート支持バー７Ｃをほぼ中央部に位置する３個のパンタグラフ状の伸縮リンク機構１１、１１、１１の枢支ピン８、８、８で枢支して３個の支持バー６、６、６の前後方向の移動を規制してもよい。
この場合には３個の支持バー６、６、６とパンタグラフ状の伸縮リンク機構１１、１１、１１がスムーズにスライド移動できるとともに、伸縮できるように遊びを設ける等に注意する。
また、３個のパンフグラフ状の伸縮リンク機構１１、１１、１１の両端部を両端部の目地プレート支持バー７、７に枢支ピン８、８で枢支させるとともに、該両端部の目地プレート支持バー７、７を下部開口のチャンネル材を用い、３個の支持バー６、６、６の両端部の上面に突出するように設けたガイドピンが両端部の目地プレート支持バー７、７内に収納されるように設けてもよい。
さらに、前記複数本の目地プレート支持バー７は２本のバー部材と、この２本のバー部材間に伸縮リンク挿入孔１９、１９、１９が形成できるように介装された伸縮リンク挿入孔形成バーとで構成したものを用いてもよい。
【００１７】
【発明の異なる実施の形態】
次に、図１２ないし図１７に示す本発明の異なる実施の形態につき説明する。なお、これらの本発明の異なる実施の形態の説明に当って、前記本発明の第１の実施の形態と同一構成部分には同一符号を付して重複する説明を省略する。
【００１８】
図１２ないし図１４に示す本発明の第２の実施の形態において、前記本発明の第１の実施の形態と主に異なる点は、少なくとも２個以上の支持バー６、６、６の一端部を一方の建物３の目地部側の床躯体３ａに固定された取付け金具３５に枢支ピン３６を用いて、他端部がレール５に沿って水平方向に回動可能に取付けた点で、このように構成した床用目地装置１Ａにしても、前記本発明の第１の実施の形態と同様な作用効果が得られる。
なお、本発明の実施の形態では３個の支持バー６、６、６の一端部を一方の建物３の目地部側の床躯体３ａに固定された取付け金具３５に枢支ピン３６を用いて枢支したものについて説明したが、本発明はこれに限らず、中央部の支持バー６の一端部を一方の建物３の目地部側の床躯体３ａに固定された取付け金具３５に枢支ピン３６を用いて枢支し、それ以外の支持バー６、６の一端部を一端部のレール５に沿って前後方向にスライド移動できるように取付けてもよい。
このように取付けることにより、３個の支持バー６、６、６の前後方向の移動を規制する機構を設置することなく、３個の支持バー６、６、６が前後方向の位置決めを図ることができるとともに、両端部の支持バー６、６が必要以上あるいは移動量に制限がある場所での前後方向の移動を規制することができる。
この場合には連結バー１８が不要あるいは両端部の支持バー６、６が前後方向にスライド移動できるように連結バー１８の両端部の支持バー６、６を枢支する枢支ピン１７、１７の枢支ピン挿入孔を枢支ピン１７、１７がスライド移動できるように長孔に形成する。
【００１９】
図１５ないし図１７に示す本発明の第３の実施の形態において、前記本発明の第１の実施の形態と主に異なる点は、中央部で噛み合うパルス形状の係合片３８、３８を形成した２枚の目地プレート１４Ｂ、１４Ｂで中央部の目地プレート支持バー７Ｃに複数本の皿ビス１２等で固定できるようにした点で、このように構成した床用目地装置１Ｂにしても、前記本発明の第１の実施の形態と同様な作用効果が得られる。
【００２０】
【発明の効果】
以上の説明から明らかなように、本発明にあっては次に列挙する効果が得られる。
【００２１】
（１）目地部を介して建てられた左右の建物の目地部側の床躯体に取付けられた一対のレールと、この一対のレールに両端部がスライド移動可能に支持された少なくとも２個以上の傾斜状態で配置される支持バーと、この少なくとも２個以上の支持バーに所定間隔でスライド移動可能に配置された中央部より両側部に配置されるものの高さ寸法が順次小寸法となる複数本の目地プレート支持バーと、この複数本の目地プレート支持バーを所定間隔で伸縮スライド移動させるように該複数本の目地プレート支持バーに枢支される両端部が前記左右の建物の目地部側の床躯体に枢支された少なくとも２個以上のパンタグラフ形状の伸縮リンク機構と、前記複数本の目地プレート支持バーにそれぞれ両側部から取付けられた先端部が両側部側と所定寸法重なり合い、目地部の寸法が広くなったり、狭くなっても重なり状態を保って、前記目地部を覆う複数枚の目地プレートとで構成されているので、目地部を複数枚の目地プレート覆うことができる。
したがって、従来のように大きくて重い１枚の目地プレートを用いるものに比べ、運搬や設置作業を容易に行なうことができる。
【００２２】
（２）前記（１）によって、複数枚の目地プレートにそれぞれ取付けられている複数本の目地プレート支持バーを少なくとも２個以上のパンタグラフ状の伸縮リンク機構で、地震等で目地部が広くなったり、狭くなっても均一な幅寸法となるように移動させることができる。
したがって、確実に複数枚の目地プレートの移動量を均一に設定でき、安全に使用することができる。
【００２３】
（３）前記（１）によって、地震等によって左右の建物が異なる前後左右方向に揺れ動いても、伸縮したり前後方向にスライド移動して、その揺れ動きを吸収することができる。
【００２４】
（４）前記（１）によって、少なくとも２個以上の支持バーと、複数本の目地プレート支持バーを支持する少なくとも２個以上のパンタグラフ状の伸縮リンク機構で複数枚の目地プレートを支持することができる。
したがって、目地部が広くても複数枚の目地プレートの中央部の目地プレートが撓んだように下部に位置したりするのを確実に阻止することができる。
【００２５】
（５）請求項２も前記（１）〜（４）と同様な効果が得られる。
【図面の簡単な説明】
【図１】本発明の第１の実施の形態の一部破断平面図。
【図２】図１の２−２線に沿う拡大断面図。
【図３】本発明の第１の実施の形態のレールの説明図。
【図４】本発明の第１の実施の形態の支持バーの説明図。
【図５】本発明の第１の実施の形態の目地プレート支持バーの説明図。
【図６】本発明の第１の実施の形態の伸縮リンク機構の説明図。
【図７】本発明の第１の実施の形態の目地プレートの説明図。
【図８】本発明の第１の実施の形態の目地部が広くなった状態の平面図。
【図９】図８の９−９線に沿う断面図。
【図１０】本発明の第１の実施の形態の目地部が狭くなった状態の平面図。
【図１１】図１０の１１−１１線に沿う断面図。
【図１２】本発明の第２の実施の形態の平面図。
【図１３】図１２の１３−１３線に沿う拡大断面図。
【図１４】本発明の第２の実施の形態の支持バーの取付け状態の説明図。
【図１５】本発明の第３の実施の形態の平面図。
【図１６】図１５の１６−１６線に沿う拡大断面図。
【図１７】本発明の第３の実施の形態の中央部の目地プレートの説明図。
【符号の説明】
１、１Ａ、１Ｂ：床用目地装置、
２：目地部、            ３：建物、
３ａ：床躯体、          ４：ビス、
５：レール、            ６：支持バー、
７、７Ａ、７Ｂ、７Ｃ：目地プレート支持バー、
８：枢支ピン、          ９：固定バー、
１０：枢支ピン、        １１：伸縮リンク機構、
１２：皿ビス、
１４、１４Ａ、１４Ｂ：目地プレート、
１５：皿ビス、          １６：支持プレート、
１７：枢支ピン、        １８：連結バー、
１９：伸縮リンク挿入孔、２０：ビス等の挿入孔、
２１：ベース板、        ２２：レール部、
２３：ストッパー片、    ２４：支持バー本体、
２５：ローラー、
２６、２６Ａ、２６Ｂ、２６Ｃ：目地プレート支持バー本体、
２７：伸縮リンク、      ２８：ビス、
２９：取付け金具、      ３０：皿ビス挿入孔、
３５：取付け金具、      ３６：枢支ピン、
３７：切欠部、          ３８：係合片。
【図１】
0003691778.tif 000002
【図２】
0003691778.tif 000003
【図３】
0003691778.tif 000004
【図４】
0003691778.tif 000005
【図５】
0003691778.tif 000006
【図６】
0003691778.tif 000007
【図７】
0003691778.tif 000008
【図８】
0003691778.tif 000009
【図９】
0003691778.tif 000010
【図１０】
0003691778.tif 000011
【図１１】
0003691778.tif 000012
【図１２】
0003691778.tif 000013
【図１３】
0003691778.tif 000014
【図１４】
0003691778.tif 000015
【図１５】
0003691778.tif 000016
【図１６】
0003691778.tif 000017
【図１７】
0003691778.tif 000018